(57)【要約】【課題】複数のユーザ端末のアクセスがウエブページの検索画面に集中しても検索応答待ちや無駄な時間をなくし、また過度な集中でサーバがダウンしたりロックがかかるとを少なくし、ユーザ端末や特に携帯電話からも低額な通話料金で、且つ無駄な時間を要せず検索した画像やメールデータを最小限のクリック操作でダウンロード出来るインターネット上の送受信システムを提供する。【解決手段】インターネット上でデータベース検索エンジンを保有しデータベースにテキストデータと添付ファイルを保存しインターネット上の送受信システムを搭載したサーバで、ユーザ端末との送受信に関し、通信の受信ポート切断、接続し受信し、また異なるプログラムで通信の送信ポートの切断、接続しユーザ端末からの検索項目を検索し検索結果を添付ファイル付きメールデータとして携帯電話等のユーザ端末に最小限のクリック操作で送信することが出来る。【選択図】図１
2005322011.tif 000002
【特許請求の範囲】
【請求項１】
インターネット上で、データベースにテキストデータと添付ファイルを保存しデータベース検索エンジンを保有するサーバと、電子メールの送受信による検索およびダウンロード可能なユーザとしての携帯電話および携帯端末を含むユーザ端末と、が接続する前記サーバに保存されるインターネット上の送受信システムであって、前記ユーザ端末から要求された検索項目を受信し、該検索項目を前記データベースに書き込みが正常に完了すると、前記ユーザ端末との通信の受信ポートを一定間隔ごとに切断と接続を繰り返す受信ポート切断機能と、該受信ポート切断機能を有するプログラムとは別に存在するプログラムで前記通信の送信ポートを一定間隔ごとに切断と接続を繰り返して、前記ユーザ端末の前記検索項目で抽出した検索結果の内、主要項目を前記ユーザ端末に返信する送信ポート起動機能と、更に別に存在するプログラムで前記ユーザ端末から要望のあった検索結果を送信する送信機能と、を備えることを特徴とするインターネット上の送受信システム。
【請求項２】
前記受信ポート切断機能は、前記ユーザ端末から要求された検索項目を受信し、該検索項目を前記データベースに書き込みが正常に完了すると、前記ユーザ端末との通信の受信ポートを一定間隔ごとに切断と接続を繰り返すことを特徴とする請求項１記載のインターネット上の送受信システム。
【請求項３】
前記受信ポート切断機能は、前記ユーザ端末から要求された検索項目を受信し、該検索項目を前記データベースに書き込みを行うが、前記検索項目の受信の有無にかかわらず、一方では、前記ユーザ端末との通信の受信ポートを一定間隔ごとに切断と接続を繰り返すことを特徴とする請求項１記載のインターネット上の送受信システム。
【請求項４】
前記送信ポート起動機能は、前記受信ポート切断機能を有するプログラムとは別に存在するプログラムで前記通信の送信ポートを一定間隔ごとに切断と接続を繰り返して、前記ユーザ端末の前記検索項目で抽出した検索結果の内、主要項目を前記ユーザ端末に返信することを特徴とする請求項１記載のインターネット上の送受信システム。
【請求項５】
前記送信ポート起動機能は、前記受信ポート切断機能を有するプログラムとは別に存在するプログラムで前記ユーザ端末の前記検索項目で抽出した検索結果の内、主要項目を前記ユーザ端末に返信直後と、更に別に存在するプログラムで前記ユーザ端末から要望のあった検索結果を送信直後と、に前記通信の送信ポートを一定間隔ごとに切断と接続を繰り返すことを特徴とする請求項１記載のインターネット上の送受信システム。
【請求項６】
前記送信機能は、更に別に存在するプログラムで前記ユーザ端末から要望のあった検索結果を送信することを特徴とする請求項１記載のインターネット上の送受信システム。
【請求項７】
前記通信の送信ポートを一定間隔ごとに切断と接続を繰り返して、前記ユーザ端末の前記検索項目で抽出した検索結果の内、主要項目を前記ユーザ端末に返信する前記送信ポート起動機能と、前記ユーザ端末から要望のあった検索結果を送信する前記送信機能と、が同一のプログラム内に含まれることを特徴とする請求項１記載のインターネット上の送受信システム。
【発明の詳細な説明】
【技術分野】
【０００１】
本発明は、インターネット上でデータベース検索エンジンを保有しデータベースにテキストデータと添付ファイルを保存するサーバで、ユーザ端末との送受信に関し、通信の受信ポート切断、接続し受信し、また異なるプログラムで通信の送信ポートの切断、接続しユーザ端末からの検索項目を検索し検索結果をユーザ端末に送信するインターネット上の送受信システム等に関する。
【背景技術】
【０００２】
複数のユーザ端末のアクセスがウエブページの検索画面に集中するとサーバ側では同時実行制御方式が採られるため、検索応答待ちが度々生じ、またロックがかかり、無駄な時間を要し、また過度な集中でサーバがダウンすることがある。
【０００３】
ユーザ端末のアクセスがウエブページの検索画面での検索やダウンロードに時間を要するとユーザ端末の通話料金がかさみ、アクセスが敬遠されることがある。
【０００４】
特にユーザ端末である携帯電話から低額な通話料金で、且つ無駄な時間を要せず検索した添付ファイ付きメールデータを最低回数のクリックでダウンロード出来るウエブページは、見かけない。
【特許文献１】特開２００１−１４２８２０
【発明の開示】
【発明が解決しようとする課題】
【０００５】
そこで、本発明は、上記問題点に鑑み、複数のユーザ端末のアクセスがウエブページの検索画面に集中してもサーバ側では、検索応答待ちが度々生ずる無駄な時間をなくし、また過度な集中でサーバがダウンすることが少なく、ユーザ端末や特に携帯電話からも低額な通話料金で、且つ無駄な時間を要せず検索した画像やメールデータを最小限のクリック操作でダウンロード出来る、インターネット上の送受信システムを提供する。
【課題を解決するための手段】
【０００６】
このような課題を解決するため、本発明のインターネット上の送受信システムは、インターネット上で、データベースにテキストデータと添付ファイルを保存しデータベース検索エンジンを保有するサーバと、電子メールの送受信による検索およびダウンロード可能なユーザとしての携帯電話および携帯端末を含むユーザ端末と、が接続する前記サーバに保存されるインターネット上の送受信システムであって、前記ユーザ端末から要求された検索項目を受信し、該検索項目を前記データベースに書き込みが正常に完了すると、前記ユーザ端末との通信の受信ポートを一定間隔ごとに切断と接続を繰り返す受信ポート切断機能と、該受信ポート切断機能を有するプログラムとは別に存在するプログラムで前記通信の送信ポートを一定間隔ごとに切断と接続を繰り返して、前記ユーザ端末の前記検索項目で抽出した検索結果の内、主要項目を前記ユーザ端末に返信する送信ポート起動機能と、更に別に存在するプログラムで前記ユーザ端末から要望のあった検索結果を送信する送信機能と、を備えることを特徴とする請求項１記載のインターネット上の送受信システム。
【０００７】
請求項２の発明では、前記受信ポート切断機能は、前記ユーザ端末から要求された検索項目を受信し、該検索項目を前記データベースに書き込みが正常に完了すると、前記ユーザ端末との通信の受信ポートを一定間隔ごとに切断と接続を繰り返すことを特徴とする請求項１記載のインターネット上の送受信システムである。
【０００８】
請求項３の発明では、前記受信ポート切断機能は、前記ユーザ端末から要求された検索項目を受信し、該検索項目を前記データベースに書き込みを行うが、前記検索項目の受信の有無にかかわらず、一方では、前記ユーザ端末との通信の受信ポートを一定間隔ごとに切断と接続を繰り返すことを特徴とする請求項１記載のインターネット上の送受信システムである。
【０００９】
請求項４の発明では、前記送信ポート起動機能は、前記受信ポート切断機能を有するプログラムとは別に存在するプログラムで前記通信の送信ポートを一定間隔ごとに切断と接続を繰り返して、前記ユーザ端末の前記検索項目で抽出した検索結果の内、主要項目を前記ユーザ端末に返信することを特徴とする請求項１記載のインターネット上の送受信システムである。
【００１０】
請求項５の発明では、前記送信ポート起動機能は、前記受信ポート切断機能を有するプログラムとは別に存在するプログラムで前記ユーザ端末の前記検索項目で抽出した検索結果の内、主要項目を前記ユーザ端末に返信直後と、更に別に存在するプログラムで前記ユーザ端末から要望のあった検索結果を送信直後と、に前記通信の送信ポートを一定間隔ごとに切断と接続を繰り返すことを特徴とする請求項１記載のインターネット上の送受信システムである。
【００１１】
請求項６の発明では、更に別に存在するプログラムで前記ユーザ端末から要望のあった検索結果を送信することを特徴とする請求項１記載のインターネット上の送受信システム。
【００１２】
請求項７の発明では、前記通信の送信ポートを一定間隔ごとに切断と接続を繰り返して、前記ユーザ端末の前記検索項目で抽出した検索結果の内、主要項目を前記ユーザ端末に返信する前記送信ポート起動機能と、前記ユーザ端末から要望のあった検索結果を送信する前記送信機能と、が同一のプログラム内に含まれることを特徴とする請求項１記載のインターネット上の送受信システム。
【発明の効果】
【００１３】
複数のユーザ端末のアクセスがウエブページの検索画面に集中してもサーバ側では、検索応答待ちが度々生ずる無駄な時間をなくし、また過度な集中でサーバがダウンしたりロックがかかるとが少なく、ユーザ端末や特に携帯電話からも低額な通話料金で、且つ無駄な時間を要せず検索した画像やメールデータを最小限のクリック操作でダウンロード出来るインターネット上の送受信システムを提供する。
【発明を実施するための最良の形態】
【００１４】
以下、本発明による一つの実施形態の構成および動作を、添付図面を参照して詳細に説明する。なお、以下に述べる実施の形態は、本発明の一つの具体例であるから、技術的に好ましい種々の限定が付されているが、本発明の範囲は、以下の説明において特に本発明を限定する旨の記載がない限り、これらの形態に限られるものではない。
【００１５】
先ず、図１は、本発明による全体構成図である。インターネット上での情報利用者であるユーザ１０１の電子メールの送受信による検索およびダウンロード可能な携帯電話および携帯端末を含むユーザ端末１０２とプロバイダーまたは携帯電話のメールサーバ１１１とインターネット１１２上に公開するサーバ１０３とはインターネットを介して相互に接続されている。サーバ１０３には、データベース１０４にテキストデータと添付ファイルを保存しデータベース検索エンジンを保有していて、本発明によるインターネット上の送受信システムを搭載している。サーバ１０３はユーザ１０１から送られてくる情報を受信１０８する。サーバ１０３に搭載したプログラムＡ１０５、プログラムＢ１０６、プログラムＣ１０７、データベース１０４で情報検索し検索結果のメールデータ１１０をユーザ１０１に送信する。
【００１６】
図２はインターネット上の送受信システムを説明するための本発明の原理図である。この原理図により全体の流れを説明する。インターネット上での情報利用者であるユーザ１０１のユーザ端末１０２からのメールをプロバイダーまたは携帯電話のメールサーバがメールを受信（Ｓ２０２）してサーバ１０３に送信される。サーバ１０３に搭載するプログラムＡ１０５がメールを受け取る（Ｓ２０３）。そして検索するキーワードを受け取り関数によって送信者のメールアドレスを取り出しデータベース１０４にＦｌａｇ０を記録する（Ｓ２０４）。検索項目をデータベースに書き込みが正常に完了すると、プログラムＡ１０５では一定間隔ごとに受信ポートを切断、接続を繰り返す（Ｓ２０５）ことにより、一定間隔ごとにユーザ１０１からのメールを受け取り送信を円滑に遂行する。プログラムＢ１０６では、データベース１０４よりＦｌａｇ０で古いデータより順にキーワード、メールアドレスを取り出す（Ｓ２０７）、そして検索結果を出す（Ｓ２０８）。検索結果の内、ＵＲＬ、ＩＤ、名前、タイトル、内容、時間をユーザ１０１へ返信した後Ｆｌａｇ１をデータベース１０４に記録（Ｓ２０９）する。プログラムＢ１０６では、常に一定間隔ごとに送信ポートを切断、接続を繰り返す（Ｓ２１０）ことにより送信を円滑に遂行する。ユーザ１０１へ返信した検索結果の内、ユーザ１０１からＵＲＬにアクセスがあれば、プログラムＣ１０７では、メールアドレス、ＩＤを受信し、検索結果を添付ファイルを添付してユーザ１０１に送信する（Ｓ２１１）。検索結果の内、ＵＲＬ、ＩＤ、名前、タイトル、内容、時間をユーザ１０１へ返信するのは、ユーザ１０１が検索結果を自由に選び、ダウンロードする為のもので、ユーザ１０１に選択の場を与えることにより、必要なものだけをダウンロードするため、通信料金の節約、時間の節約、更には、ユーザ１０１自身の検索したものであるかの確認が出来るため、安心してダウンロードすることができる。従って、以上のようにメールの受送信を円滑に遂行することにより、複数のユーザ端末１０２のアクセスがウエブページの検索画面に集中してもサーバ１０３側では、検索応答待ちが度々生ずる無駄な時間をなくし、また過度な集中でサーバ１０３がダウンすることが少なく、ユーザ端末１０２や特に携帯電話からも低額な通話料金で、且つ無駄な時間を要せず検索した画像やメールデータを最小限のクリック操作でダウンロード出来る。またプログラムＣ１０７では、ユーザ１０１からの検索結果をＷｅｂ上で表示する（Ｓ２１２）ことも行う。
【００１７】
図３はインターネット上の送受信システムを説明するための本発明の原理図である。図２の説明ではプログラムＢ１０６とプログラムＣ１０７と独立したプログラムとなっているが、プログラムＢ１０６とプログラムＣ１０７とは一つのプログラムとしてもよい、つまりプログラムＢ１０６とプログラムＣ１０７のプログラムを一つのプログラムに作り上げてプログラムＤ１１３としてもよい。
【００１８】
図２、図３のプログラムＡ１０５における受信ポートの切断、接続については、検索項目の受信の有無にかかわらず常に一定間隔ごとに受信ポートを切断、接続を繰り返してもよい。
【００１９】
図２、図３のプログラムＢ１０６の一定間隔ごとに送信ポートを切断、接続を繰り返す（Ｓ２１０）については、ユーザ端末１０２の検索項目で抽出した検索結果の内、主要項目をユーザ端末１０１に返信直後と、ユーザ端末から要望のあった検索結果を送信直後に一定間隔ごとに送信ポートを切断、接続を繰り返してもよい。
【００２０】
図４は本発明によるインターネット上の送受信システムを搭載したサーバへ携帯電話からアクセスし検索中の画面図である。ユーザ端末１０２の一つである携帯電話３０１からサーバ１０３にアクセスし検索中の画面３０２である。
【００２１】
図５は本発明によるインターネット上の送受信システムを搭載したサーバへ携帯電話からアクセスし検索して検索結果をダウンロードした画面図である。ユーザ端末１０２の一つである携帯電話４０１からサーバ１０３にアクセスし検索して検索結果であるテキストデータ４０２と添付ファイル４０３である画像をダウンロードした画面４０１である。
【産業上の利用可能性】
【００２２】
以上説明したように本発明によれば、複数のユーザ端末のアクセスがウエブページの検索画面に集中しても本発明によるインターネット上の送受信システムを搭載したサーバ側では、検索応答待ちが度々生ずる無駄な時間をなくし、また過度な集中でサーバがダウンしたりロックがかかるとが少なく、ユーザ端末や特に携帯電話からも低額な通話料金で、且つ無駄な時間を要せず検索した画像やメールデータを最小限のクリック操作でダウンロード出来るため、情報産業・商業・産業振興、などの多面的利用が考えられる。
【図面の簡単な説明】
【００２３】
【図１】実施例のひとつの本発明による全体構成図である。
【図２】実施例のひとつの本発明の原理図である。
【図３】実施例のひとつの本発明の原理図である。
【図４】実施例のひとつの携帯電話からアクセスし検索中の画面図である。
【図５】実施例のひとつの携帯電話からアクセスし検索して検索結果をダウンロードした画面図である。
【符号の説明】
【００２４】
１０１  ユーザ
１０２  ユーザ端末
１０３  サーバ
１０４  データベース
１０５  プログラムＡ
１０６  プログラムＢ
１０７  プログラムＣ
１０８  受信
１０９  送信
１１０  検索結果のメールデータ
１１１  プロバイダーまたは携帯電話のメールサーバ
１１２  インターネット
３０１  携帯電話
３０２  検索中の画面
４０１  携帯電話
４０２  テキストデータ
４０３  添付ファイル
【図１】
2005322011.tif 000003
【図２】
2005322011.tif 000004
【図３】
2005322011.tif 000005
【図４】
2005322011.tif 000006
【図５】
2005322011.tif 000007